【手続補正書】
【提出日】平成27年9月14日(2015.9.14)
【手続補正１】
【補正対象書類名】特許請求の範囲
【補正対象項目名】全文
【補正方法】変更
【補正の内容】
【特許請求の範囲】
【請求項１】
画像データを一覧表示する画像表示装置であって、
画像データの分類条件を選択する選択手段と、
画像データの並び順に関するソート条件を指定する指定手段と、
前記選択手段により選択された分類条件に応じて画像データのグルーピングを行うグルーピング手段と、
前記選択手段により選択された分類条件と前記指定手段により指定されたソート条件とに応じて、前記グルーピングを行うか否かを判定する判定手段と、
前記判定手段による判定の結果に応じて、画像データをグルーピングして表示するか否かを制御する制御手段と、を有することを特徴とする画像表示装置。
【請求項２】
前記選択手段で選択された分類条件に基づき、表示すべき複数の画像データを特定する特定手段をさらに有し、
前記制御手段は、前記グルーピングを行って表示する場合には、前記特定手段で特定された複数の画像データをさらに複数のグループに分けるとともに、前記指定手段で指定されたソート条件でソートを行って前記複数の画像データを表示し、前記グルーピングを行わないで表示する場合には、前記特定手段で特定された前記複数の画像データをグループに分けることなく、前記指定手段で指定されたソート条件でソートを行って前記複数の画像データを表示することを特徴とする請求項１に記載の画像表示装置。
【請求項３】
前記分類条件とは、画像データの撮影年月日、フォルダ、レーティング、ファイル種別、撮影場所のいずれかであり、
前記ソート条件とは、画像データの撮影日時、ファイル名、レーティング、拡張子、地名のいずれかであることを特徴とする請求項１または２に記載の画像表示装置。
【請求項４】
前記分類条件に対応するソート条件は、前記分類条件が撮影年月日の場合には撮影日時、フォルダの場合にはファイル名、前記レーティングの場合にはレーティング、前記ファイル種別の場合には拡張子、撮影場所の場合には地名であることを特徴とする請求項３に記載の画像表示装置。
【請求項５】
前記グルーピング手段は、前記グルーピングを行った画像データについて前記分類条件に対応するソート条件で並び替えを行い、処理対象の画像データに対応する縮小画像を表示することを特徴とする請求項１ないし４のいずれか１項に記載の画像表示装置。
【請求項６】
前記分類条件は、階層的なツリー構造となっていることを特徴とする請求項１ないし５のいずれか１項に記載の画像表示装置。
【請求項７】
前記分類条件に対応したソート条件でない場合、前記判定手段は、前記グルーピングを行わないと判定することを特徴とする請求項１ないし６のいずれか１項に記載の画像表示装置。
【請求項８】
前記分類条件に対応するグルーピング情報が存在しない場合、前記判定手段は、前記グルーピングを行わないと判定することを特徴とする請求項７に記載の画像表示装置。
【請求項９】
前記分類条件に対応するグルーピング情報は、前記分類条件が撮影年月日のうち、年の場合には月、月の場合には日、日の場合には時間、前記フォルダの場合には処理対象の画像ファイルを直下に含むフォルダ、前記レーティングの場合にはレーティングの値、前記ファイル種別が静止画の場合には静止画の種類、動画の場合には動画の種類、前記撮影場所が国の場合には県、県の場合には市であることを特徴とする請求項３に記載の画像表示装置。
【請求項１０】
前記分類条件が撮影日で、前記ソート条件が撮影日時の場合、前記判定手段は、前記グルーピングを行うと判定し、前記ソート条件が撮影日時でない場合、前記グルーピングを行わないと判定することを特徴とする請求項３に記載の画像表示装置。
【請求項１１】
前記分類条件がフォルダで、前記ソート条件がファイル名の場合、前記判定手段は、前記グルーピングを行うと判定し、前記ソート条件がファイル名でない場合、前記グルーピングを行わないと判定することを特徴とする請求項３に記載の画像表示装置。
【請求項１２】
画像データを一覧表示する画像表示装置の制御方法であって、
画像データの分類条件を選択する選択ステップと、
画像データの並び順に関するソート条件を指定する指定ステップと、
前記選択された分類条件に応じて画像データのグルーピングを行うグルーピングステップと、
前記選択された分類条件と前記指定されたソート条件とに応じて、前記グルーピングを行うか否かを判定する判定ステップと、
前記判定の結果に応じて、画像データをグルーピングして表示するか否かを制御する制御ステップと、を有することを特徴とする画像表示装置の制御方法。
【請求項１３】
前記選択ステップで選択された分類条件に基づき、表示すべき複数の画像データを特定する特定ステップをさらに有し、
前記制御ステップでは、前記グルーピングを行って表示する場合には、前記特定ステップで特定された複数の画像データをさらに複数のグループに分けるとともに、前記指定ステップで指定されたソート条件でソートを行って前記複数の画像データを表示し、前記グルーピングを行わないで表示する場合には、前記特定ステップで特定された前記複数の画像データをグループに分けることなく、前記指定ステップで指定されたソート条件でソートを行って前記複数の画像データを表示することを特徴とする請求項１２に記載の制御方法。
【請求項１４】
前記分類条件とは、画像データの撮影年月日、フォルダ、レーティング、ファイル種別、撮影場所のいずれかであり、
前記ソート条件とは、画像データの撮影日時、ファイル名、レーティング、拡張子、地名のいずれかであることを特徴とする請求項１２または１３に記載の制御方法。
【請求項１５】
前記分類条件に対応するソート条件は、前記分類条件が撮影年月日の場合には撮影日時、フォルダの場合にはファイル名、前記レーティングの場合にはレーティング、前記ファイル種別の場合には拡張子、撮影場所の場合には地名であることを特徴とする請求項１４に記載の制御方法。
【請求項１６】
前記グルーピングステップでは、前記グルーピングを行った画像データについて前記分類条件に対応するソート条件で並び替えを行い、処理対象の画像データに対応する縮小画像を表示することを特徴とする請求項１２ないし１５のいずれか１項に記載の制御方法。
【請求項１７】
前記分類条件は、階層的なツリー構造となっていることを特徴とする請求項１２ないし１６のいずれか１項に記載の制御方法。
【請求項１８】
前記分類条件に対応したソート条件でない場合、前記判定ステップでは、前記グルーピングを行わないと判定することを特徴とする請求項１２ないし１７のいずれか１項に記載の制御方法。
【請求項１９】
前記分類条件に対応するグルーピング情報が存在しない場合、前記判定ステップでは、前記グルーピングを行わないと判定することを特徴とする請求項１８に記載の制御方法。
【請求項２０】
前記分類条件に対応するグルーピング情報は、前記分類条件が撮影年月日のうち、年の場合には月、月の場合には日、日の場合には時間、前記フォルダの場合には処理対象の画像ファイルを直下に含むフォルダ、前記レーティングの場合にはレーティングの値、前記ファイル種別が静止画の場合には静止画の種類、動画の場合には動画の種類、前記撮影場所が国の場合には県、県の場合には市であることを特徴とする請求項１４に記載の制御方法。
【請求項２１】
前記分類条件が撮影日で、前記ソート条件が撮影日時の場合、前記判定ステップでは、前記グルーピングを行うと判定し、前記ソート条件が撮影日時でない場合、前記グルーピングを行わないと判定することを特徴とする請求項１４に記載の制御方法。
【請求項２２】
前記分類条件がフォルダで、前記ソート条件がファイル名の場合、前記判定ステップでは、前記グルーピングを行うと判定し、前記ソート条件がファイル名でない場合、前記グルーピングを行わないと判定することを特徴とする請求項１４に記載の制御方法。
【請求項２３】
コンピュータを、請求項１ないし１１のいずれか１項に記載された画像表示装置の各手段として機能させるためのプログラム。
【請求項２４】
コンピュータを、請求項１乃至１１のいずれか１項に記載された画像表示装置の各手段として機能させるためのプログラムを格納した記憶媒体。
【手続補正２】
【補正対象書類名】明細書
【補正対象項目名】０００７
【補正方法】変更
【補正の内容】
【０００７】
上記課題を解決し、目的を達成するために、本発明の画像表示装置は、画像データを一覧表示する画像表示装置であって、画像データの分類条件を選択する選択手段と、画像データの並び順に関するソート条件を指定する指定手段と、前記選択手段により選択された分類条件に応じて画像データのグルーピングを行うグルーピング手段と、前記選択手段により選択された分類条件と前記指定手段により指定されたソート条件とに応じて、前記グルーピングを行うか否かを判定する判定手段と、前記判定手段による判定の結果に応じて、画像データをグルーピングして表示するか否かを制御する制御手段と、を有する。
【手続補正３】
【補正対象書類名】明細書
【補正対象項目名】００９７
【補正方法】変更
【補正の内容】
【００９７】
［分類条件がフォルダ／ソート条件がファイル名の場合にグルーピングして表示する方法］
ユーザが指定した分類条件が任意のフォルダで、ソート条件がファイル名の場合の画像表示方法について、図２、図４、図６、図７を参照して説明する。説明に際して、ユーザがフォルダツリー３０３において、Ｐｉｃｔｕｒｅｓフォルダを選択した直後の状態とする。
【手続補正４】
【補正対象書類名】明細書
【補正対象項目名】０１１６
【補正方法】変更
【補正の内容】
【０１１６】
Ｓ６１１では、ＣＰＵ１０１は、カウンタｋが対象とする画像データの数より少ないか否かを判定する。カウンタｋは０で、０番目のグループの画像データ数は４なので、対象となる画像データ数よりも少ないと判定した場合にはＳ６１２へ進む。
【手続補正５】
【補正対象書類名】明細書
【補正対象項目名】０１２３
【補正方法】変更
【補正の内容】
【０１２３】
ユーザが任意のフォルダを選択して、並び替えを撮影日時順に変更した際の画像表示方法について、図４及び図８を参照して説明する。説明に際して、ユーザがフォルダツリー３０３において、Ｐｉｃｔｕｒｅｓフォルダを選択した状態で、並び順リストボックス３１３において、撮影日時順を選択した直後の状態とする。
【手続補正６】
【補正対象書類名】明細書
【補正対象項目名】０１３１
【補正方法】変更
【補正の内容】
【０１３１】
Ｓ８０２では、ＣＰＵ１０１は、分類条件表示バー３１４に分類条件の文字列を表示する。ユーザが選択した分類条件はＰｉｃｔｕｒｅｓフォルダなので、Ｐｉｃｔｕｒｅｓを表示する。
【手続補正７】
【補正対象書類名】明細書
【補正対象項目名】０１５４
【補正方法】変更
【補正の内容】
【０１５４】
Ｓ６１１では、ＣＰＵ１０１は、カウンタｋが対象とする画像データの数より少ないか否かを判定する。カウンタｋは０で、０番目のグループの画像データ数は３なので、対象となる画像データ数よりも少ないと判定し、Ｓ６１２へ進む。
【手続補正８】
【補正対象書類名】明細書
【補正対象項目名】０１６０
【補正方法】変更
【補正の内容】
【０１６０】
［分類条件が撮影年／ソート条件がファイル名の場合にグルーピングせずに表示する方法］
ユーザが任意の撮影年の中で、所望のファイル名の画像データを探す場合、任意の撮影年を選択して、並び替えをファイル名に変更するという操作を一般的によく行う。根拠は分類条件がフォルダでソート条件が撮影日時の場合と同様である。
【手続補正９】
【補正対象書類名】明細書
【補正対象項目名】０１６９
【補正方法】変更
【補正の内容】
【０１６９】
Ｓ８０２では、ＣＰＵ１０１は、分類条件表示バー３１４に分類条件の文字列を表示する。ユーザが選択した分類条件は２００９年なので、２００９年を表示する。
【手続補正１０】
【補正対象書類名】明細書
【補正対象項目名】０２２０
【補正方法】変更
【補正の内容】
【０２２０】
Ｓ４０４では、ＣＰＵ１０１は、ユーザが並び順リストボックス１３０７において指定したソート条件がＳ４０３にて読み込んだソート条件と一致するか否かの判定を行う。ユーザが指定したソート条件はレーティング順なので、一致したと判定して、Ｓ４０５へ進む。
【手続補正１１】
【補正対象書類名】明細書
【補正対象項目名】０２３４
【補正方法】変更
【補正の内容】
【０２３４】
Ｓ６１１では、ＣＰＵ１０１は、カウンタｋが対象とする画像データの数より少ないか否かを判定する。カウンタｋは０で、０番目のグループの画像データ数は３なので、対象となる画像データ数よりも少ないと判定した場合には、Ｓ６１２へ進む。
【手続補正１２】
【補正対象書類名】明細書
【補正対象項目名】０２４６
【補正方法】変更
【補正の内容】
【０２４６】
Ｓ４０４では、ＣＰＵ１０１は、ユーザが並び順リストボックス１３０７において指定したソート条件がＳ４０３にて読み込んだソート条件と一致するか否かの判定を行う。並び順リストボックス１３０７で指定したソート条件は撮影日時順、Ｓ４０３にて読み込んだソート条件はレーティングなので、一致していないと判定し、Ｓ４０８へ進む。
【手続補正１３】
【補正対象書類名】明細書
【補正対象項目名】０２４９
【補正方法】変更
【補正の内容】
【０２４９】
Ｓ８０２では、ＣＰＵ１０１は、分類条件表示バー３１４に分類条件の文字列を表示する。ユーザが選択した分類条件はレーティングありなので、レーティングありを表示する。